(57)【特許請求の範囲】
【請求項１】
ビデオ記録・再生装置であって、
駆動装置を有し、記録媒体の第１のトラックにビデオ番組信号を記録し、前記記録媒体から前記記録されたビデオ番組を再生するためのビデオ・レコーダと、
データ信号で符号化された制御トラック信号を前記記録媒体の第２のトラックに記録する制御トラック信号発生器と、
前記記録されたビデオ番組の再生時に、前記制御トラック信号に応答する制御プロセッサであって、前記データ信号をデコードし、前記データ信号を前記駆動装置に結合させ、前記データ信号に応答する複数の動作モードの相互間で前記ビデオ記録・再生装置を切り換える前記制御プロセッサとを含み、
前記制御トラック信号は周期的な前縁と位相シフトされた後縁を含んでおり、前記前縁は前記ビデオ番組の基準となるタイミング信号を表わし、前記後縁はディジタル・データを符号化するために可変的に位相シフトされ、プレー符号とスキップ符号は前記制御トラック信号中の前記後縁に続くパルスにより表される、前記ビデオ記録・再生装置。
【請求項２】
前記複数の動作モードとして、プレー・モードとスキップ・モードが含まれる、請求項１記載のビデオ記録・再生装置。
【請求項３】
前記後縁に続くパルスは、複数のディジタル・ワードを表し、前記複数のディジタル・ワードの各ワードは、プレー・モード、スキップ・モード、および巻き戻しモードにそれぞれ対応する、請求項１記載のビデオ記録・再生装置。
【請求項４】
前記ビデオ番組の再生時に、前記制御トラック信号に応答する前記制御プロセッサが、前記各ディジタル・ワードの関数として、順方向のプレー・モード、順方向のスキップ・モード、および巻戻しモードの相互間で前記ビデオ記録・再生装置を切換えるように動作する、請求項３記載のビデオ記録・再生装置。
【請求項５】
前記プレー・モードを表す先行する前記ディジタル・ワードをデコードするまで所定の繰り返し回数の間、前記ビデオ記録・再生装置を前記巻戻しモードに切換えるように、前記巻戻しモードを表す前記ディジタル・ワードをデコードする際、少なくとも前記制御プロセッサは動作可能となる、請求項４記載のビデオ記録・再生装置。
【請求項６】
前記ビデオ番組の再生時に、前記プレー・モード、前記スキップ・モード、および前記巻戻しモードを表す前記ディジタル・ワードを挿入する動作、削除する動作、および前記所定の繰り返し回数を変更する動作の少なくとも１つを行うためのユーザにより作動される手段を含み、前記制御トラック信号発生器は、前記プレー・モード、前記スキップ・モード、前記巻戻しモード、および前記所定の繰り返し回数を表す前記ディジタル・ワードの少なくとも１つを上書きするように動作する、請求項５記載のビデオ記録・再生装置。
【請求項７】
前記プレー・モードと前記巻戻しモードを表わす前記ディジタル・ワードの少なくとも１つは、前記所定の繰り返し回数を表す符号化されたカウント値を含んでいる、請求項５記載のビデオ記録・再生装置。
【請求項８】
前記ビデオ番組の再生時に、前記ディジタル・ワードの挿入動作と削除動作を行うためにユーザにより作動される手段を含む、請求項３記載のビデオ記録・再生装置。
【請求項９】
前記制御トラック信号発生器は、前記ディジタル・ワードの挿入または削除を行うように、ユーザにより作動される手段に応答する請求項３記載のビデオ記録・再生装置。
【請求項１０】
前記ユーザにより作動される手段が、前記ビデオ記録・再生装置により発生され、ユーザの選択により表示されるメニュー・スクリーンを含んでいる、請求項９記載のビデオ記録・再生装置。
【発明の詳細な説明】
産業上の利用分野
本発明は、画像の記録と再生の分野に関し、特に、記録された画像トラックに関連する制御コマンドおよびデータのユーザによるプログラミングに関する。
発明の背景
消費者用機器およびそれと類似の機器のための現在の画像記録形式は、番組内容、すなわちビデオとオーディオのために利用可能な記録媒体の大部分を使用している。例えば、ユーザにより導入されるコマンドやデータを記録するために時々利用される記録容量は大抵僅かである。テープまたは同様な媒体に記録することのできる、１つの低データ率（ｌｏｗ  ｄａｔａ  ｒａｔｅ）信号はタイミング表示信号である。ＶＨＳテープ形式の場合、制御トラック・パルスは画像のピクチャー・レート（ｐｉｃｔｕｒｅ  ｒａｔｅ）で発生され、番組の内容と共に記録される。再生時に、これらのパルスを利用して、再生を制御し、記録されたときと同じレート（ｒａｔｅ）を維持できるようにする。
制御トラック・パルスはテープのエッジに沿って記録され、各フレームをマーク（ｍａｒｋ）し、ビデオの番組内容はテープ幅を横切って記録される。典型的なＮＴＳＣ  ＴＶ標準の場合、制御トラック・パルスの繰り返し周期は約１６．６ミリセカンドであり、持続時間（デューティ・サイクル）は約５０％、すなわち、交互に１つのレベル（例えば、高レベル）で８ミリセカンド、そしてもう１つのレベル（例えば、ゼロ・レベル）で８ミリセカンドである。ＰＡＬ方式の動作では、繰り返し周期は２０ミリセカンドであり、パルスの持続時間は約１０ミリセカンドである。
このような制御トラック信号は磁気媒体を十分に利用していないことが認識されている。記録された制御トラック信号のうち、画像のピクチャー・レートと一致するように再生のタイミングを制御するのに必要とされるセグメントは、各周期の間、１つのエッジ（例えば、立上り前縁）だけである。連続する周期の立上り縁間の制御トラック信号の残りのセグメントは、付加的なデータを符号化するために変えることができる。
１９８０年代の初期に、ビデオ・インデックス・サーチ信号（Ｖｉｄｅｏ  Ｉｎｄｅｘ  Ｓｅａｒｃｈ  Ｓｉｇｎａｌ：ＶＩＳＳ）が導入され、テープ上の番組の特定のセグメントを参照するためにカウント（ｃｏｕｎｔ）のような補足的データのために現存する記録トラックを利用した。制御トラック信号の立上り縁は、上述のように、再生速度の制御のために使われる。ＶＩＳＳ標準によれば、制御トラック・パルスの、時間的制約の無い（ｎｏｎ−ｔｉｍｅ  ｃｒｉｔｉｃａｌ）後縁は、再生速度を制御する際に使用される前縁のタイミングを維持しながら、制御可能に位相をシフトすることができる。２つの異なる位相間の記録されたコマンド・トラック信号の後縁の位相を変えることにより、データは符号化され、ディジタルの真および偽即ち１および０の値のデータ・ビットを表す。
この位相符号化方法は複雑でない。論理“１”値を符号化するには、例えば、後縁の位相を進めることにより、制御パルスの正のセグメントを短縮して、持続時間をパルス繰返し周期の約２７．５％にする。論理“０”値は、例えば、公称５０％のデューティ・サイクルと比較して後縁を遅延させ、持続時間６０％のパルスを発生する。簡単なタイミング・ゲーティング回路は基準持続時間（例えば、５０％）よりも長いかまたは短いデューティ・サイクルを有するパルスを判別することができ、この比較的信頼のできる安価な通信チャンネル技術を使用して、データをシリアル・ディジタル・データ・ストリームに復号化する。しかしながら、各制御トラック・パルスの周期で、ただ１つのデータ・ビットを１または０の値に符号化でき、データ速度（ｄａｔａ  ｒａｔｅ）は遅い。
ビデオカセット・レコーダ（ＶＣＲ）はＶＩＳＳ方式を使用して、あとで再生するためのキューイング（頭出し：ｃｕｉｎｇ）を可能にする手段として、記録または記録の一部分の開始をマークすることができる。このようなインデックス信号の標準は、連続する６３ビットから成るマーカー・シーケンスを使用し、最初と最後のビットは論理“０であり、その中間のビットはすべて論理“１”であり、“０”と“１”は制御パルスの後縁の位相差で判別される。
同様に、制御トラックの符号化は、ＶＨＳアドレス・サーチ信号（Ａｄｄｒｅｓｓ  Ｓｅａｒｃｈ  Ｓｉｇｎａｌ：ＶＡＳＳ）として知られるシステムで使用され、これもまた、後縁の位相差を利用して、論理データを符号化する。ＶＡＳＳシステムでは、記録している間、ディジタル・アドレスが制御トラックに書き込まれる。ＶＡＳＳ信号は、経過時間表示信号として使用され、あるいは、編集または制御を目的として特定セグメントをアドレスするのに使用される。標準的なＶＡＳＳフォーマットは、ＶＩＳＳにおけるヘッダと同様に、１１ビットのヘッダを含み、一連の複数個の論理“１”は前後をそれぞれ１個の０で区切られている。ヘッダのあとに１６ビットのデータ部が続き、これは典型的には、４桁のセグメント・アドレスを貯えるのに使用される。コマンド・トラック・パルスの位相の変化によりテープに書き込まれるセグメント・アドレスは、新しい各ＶＡＳＳアドレス符号ごとに１だけ増加（インクリメント）される。新しい記録動作の開始時に、カウンターはリセットされる。ＶＡＳＳアドレス符号は、正確に復号化されるように冗長的に書き込まれ（例えば、４回書き込まれ）、有効とみなされるためには、少なくとも２回うまく復号化されることを要する。
三菱電機（株）の日本特許刊行物ＪＰＡ４２８３４４７は、必要のないパッセージの再生をスキップすることができるような制御トラックを符号化する方法を開示するものである。
同様なデータ符号化／復号化技術を使用して、セグメント番号やタイミング符号以外の情報を記録することができる。米国特許第５，３３３，０９１号は、Ｃｏｍｍｅｒｃｉａｌ  ＦｒｅｅまたはＣｏｍｍｅｒｃｉａｌ  Ａｄｖａｎｃｅとして知られる、自動化されたコマーシャル・ブレーク（ＴＶのコマーシャルによる番組中断）検出器について開示しており、その目的はコマーシャルをマーク（ｍａｒｋ）し、コマンド・トラック符号に応答して復号器の制御下にコマーシャルが自動的にパスされ、消去（ブランク）され、あるいは高速の順方向でプレーされるようにすることである。記録している間、ビデオ信号と音声信号の或る特性が分析され、音声とビデオのパラメータに当てられるアルゴリズムに基づいて各コマーシャルを識別する。コマーシャル・メッセージの中によく見られる、あるいは、しばしばコマーシャル・メッセージの前後に現れる、ブランク・フレーム、広告ブロック、ロゴなどのような特徴が検出される。高速順方向ワインド・コマンドは、検出されたコマーシャルの始めに、コマンド・トラック内に、記録され、プレー再開コマンドは終わりに記録される。
記録されたコマンドは、不要なコマーシャル・メッセージを完全にパス（通過）するために、コマーシャル・ブレークの始めと終わりに少し先行する必要がある。ビデオ信号がコマンド・トラックにタイミング信号と共に記録されるとき、ありそうなコマーシャル・ブレークについてビデオ信号は調べられる。次に、第２のパスで、現存するコマンド・トラック信号の後縁に上書きすなわち重ね書きすることにより、始めと終わりの制御コマンドが符号化されまたはマークされる。ユーザによるその後の再生の間に、高速順方向巻取りのマークが検出されると、ビデオ・レコーダはワインド・モードすなわち高速順方向スキャン・モードの動作に切り替えられる。プレー再開パルスが検出されると、ワインド・モードは終了し、プレー・モードが再開する。したがって、コマーシャル広告ブロックは飛ばされ、必要とされる番組だけが再生される。
テレビ番組の間、コマーシャル・ブレークを正確に検出することは困難である。多くのコマーシャル・ブレークは典型的なパラメータのフォーマットまたはシーケンス（例えば、番号とコマーシャル・ブレークとの間に１つまたはそれ以上のブラック・フレームを有する）に一致するが、何かの理由でこれに一致しないコマーシャル・ブレークもある。コマーシャル・ブレークをマークする機能を有するＶＣＲは、例えば、約８０％の精度でコマーシャル・ブレークを識別できる。
自動化された検出アルゴリズムはコマーシャルの変形を識別し損なう場合があり、その結果、コマーシャル・ブレークの開始が見落される。あとでテープを見るときに、ユーザは不要なコマーシャル・メッセージを見なければならない。これと反対の問題は、必要とされる番組内容の中にたまたまコマーシャル・ブレークに似ているフォーマットが含まれているときに起こり、その結果、自動化された検出アルゴリズムを満たしてしまう。その場合、番組内容の一部は誤ってコマーシャル・ブレークとして識別され、制御トラックに符号化されたワインド／プレー・マークが付けられる。そこで、テープが再生されるとき、必要な番組の内容が飛ばされ、これは、時折現れるコマーシャルよりも迷惑となる。万一これが起こると、ユーザは、必要な番組内容を見落とさないようにするために、コマーシャルを飛ばす機能を不能にすることを望むことになるかも知れない。
コマーシャル・ブレークが１００％確実に識別され且つコマーシャル抑制のためにマークされていても、ユーザは或るコマーシャルを見たいと思うかもしれない。もしこれがコマーシャル抑制の機能を完全に不能にせずに且つ多数のリモコン操作を必要とせずに行なわれ、特定のコマーシャルに限ってコマーシャルの抑圧が中断できるならば、好都合である。
コマーシャル・アドバンス（Ｃｏｍｍｅｒｃｉａｌ  Ａｄｖａｎｃｅ）は番組の一部を除去しまたは飛ばすことに関する。記録された番組または番組の一部を、マークされた個所の間で繰り返し再生する方法も知られている。例えば、お知らせ、広告、宣伝は、磁気記録テープの全長に亘ってデュプリケート（複製記録）されている。テープの終わりに到達し、それが検出されると、画像再生装置は自動的にテープの始めまで巻き戻し、再生を再開する。この自動繰返し方法では、編集並びに、テープに沿って再生番組の複製が繰返し行われ、これは、たまにそれを行う専門家でないユーザにとって骨が折れることであろう。比較的長い番組はただ始めから終わりまでプレーし、それから手動で停止されるまで、何回も繰返される。
画像の再生を繰り返し行なうには、特定の符号、反射性マーカーなどのような、終了マークまたは開始／終了マークがテープ上に検出されると、ＶＣＲをプレー・モードから巻戻しモードに切り替える。テープ時間またはフィート数のカウンタの設定値（ＶＣＲによって維持される）は、この目的のためにも使用される。例えば、再生されるセグメントが始まるとき、テープ・カウンターはゼロにリセットされる。再生テープが終了すると、巻戻しが選択され、カウンター（またはタイマー）の読取り値は自動的に蓄えられる。巻戻しはカウントがゼロになるまで続き、プレーが選択される。カウントが、蓄えられたカウントに達すると、巻戻しが再び選択され、連続的な再生が可能となる。あるいは、テープ終了マーカーを使用して、テープの長さを再生されるメッセージの長さと一致させ、テープはスタートまで巻き戻され、あるいは、もっと前のマーカーまで巻き戻され、そこでプレー・モードが自動的に選択され再び再生される。
開始点および終了点マーカーはテープ上に在り、テープ・カウンター技法は、再生装置内に蓄積されるあるいは再生装置により発生される情報で動作する。再生装置内の蓄積に頼る方法は、テープ・カウンターの設定値の変化（例えば、再生装置からテープを外すと起こる）が自動化を無効にするという制約がある。テープ上に在るマーカーはこの制約とは無関係であるが、開始および終了マーカーは割合に永久的で移動できない指標（ｉｎｄｉｃｉａ）であるという制約がある。
ユーザが再生された画像のシーケンスを手動でプログラムし、あとで画像シーケンスの自動的な再生を容易にするために適当な制御コマンドを、例えば、テープに貯えることができるようにする、簡単な方法と装置が必要とされる。この方法は、都合のよいことに、所望のように制御コマンドを変えるための編集をユーザが行うことができるようにし、且つタイミング制御信号とタイミング制御回路と干渉を起こさないデータ符号化技術を使用する。
発明の概要
このような方法と装置は、ビデオ番組と共にテープまたは他の蓄積媒体に記録されるタイミング・エッジ（縁部）を含む制御トラック信号を記録する制御トラック・レコーダを備える、ビデオ記録・再生装置の発明的な特徴により得られる。このタイミング・エッジは、再生時にタイミング回路を動作させる最小傾斜の前縁を有する。復号器は制御トラック信号とテープ・ドライブに結合され、この最小傾斜よりも小さい傾きの前縁を有するパルス（以て、このパルスはタイミング・エッジとは異なる。）として制御トラックの中に挿入されるプレー、スキップ（飛ばし）および巻戻し符号に応じて、順方向プレー・モード、順方向スキップ・モードおよび巻戻しモードに切り替えられる。このパルスは、プレー、スキップ、および巻き戻しのコマンドをディジタル的に符号化し、またプレー符号が先行し、巻き戻し符号が後に続くセグメントについて多数の繰り返しを符号化することができる。この装置のユーザは、スクリーン上のメニューを介してユーザにより選択された符号で現存する符号に上書きすることにより、プレー、スキップおよび巻き戻し符号の編集と多数回の再生を行うことができる。
このようにして、制御符号は、現存する制御トラックの符号化された制御データ（例えば、タイミング制御データ）に付加され、現存する制御データまたはタイミング・データを保存し、付加された保存的データの傾斜する前縁部を利用して、付加されたデータとタイミング信号または他の制御信号の急な前縁部とを判別できるようにする。
更に別の発明的な特徴は、制御トラック上に符号化される制御データをユーザが見直し編集し、ユーザが時折テープの再生状態を変えることができ、且つ飛ばされ再生または繰り返されるセグメントの順序を変えることができるようにする機能である。更にこの特徴により、ユーザは希望に応じて、必ずしもコマーシャルの抑制を完全に不能にせずに、コマーシャル・ブレーク自動識別器により挿入される制御符号をプログラムし直すことができる。
したがって、本発明はユーザが必要とする画像またはセグメントだけをあとで再生するのを融通性のある態様で且つ効果的な態様で容易にする。
本発明は、ビデオ記録および再生装置を提供するものであって、この装置において、ビデオ・レコーダは記録媒体にビデオ番組信号と第１のトラックを記録するための駆動装置を含んでいる。本発明による装置は、記録されたビデオ番組を記録媒体から再生する。制御トラック信号発生器は、データ信号で符号化された制御トラック信号を記録媒体の第２のトラックに記録する。デコーダは、記録されたビデオ番組の再生時に制御トラック信号に応答して、データ信号をデコードしかつデータ信号を駆動装置に結合させ、データ信号に応答する複数の動作モードの相互間でビデオ記録および再生装置を切り換える。制御トラック信号は、周期的に生じる前縁と位相シフトされた後縁を含んでおり、前縁はビデオ番組の基準となるタイミング信号を表わし、複数の動作モードを表すデータ信号は、制御トラック信号中の後縁に続くパルスにより符号化され、タイミング信号を表すパルスと区別される。
請求の範囲と実施例との対応関係を図面で使われている参照符号で示すと次の通りである。
１．ビデオ記録・再生装置であって、
駆動装置を有し、記録媒体（５０４）の第１のトラックにビデオ番組信号を記録し、前記記録媒体から前記記録されたビデオ番組を再生するためのビデオ・レコーダ（５００）と、
データ信号で符号化された制御トラック信号（ＣＴＲ）を前記記録媒体の第２のトラックに記録する制御トラック信号発生器（５６０）と、
前記記録されたビデオ番組の再生時に、前記制御トラック信号に応答する制御プロセッサ（５８０）であって、前記データ信号をデコードし、前記データ信号を前記駆動装置に結合させ、前記データ信号に応答する複数の動作モードの相互間で前記ビデオ記録・再生装置を切り換える前記制御プロセッサとを含み、
前記制御トラック信号は周期的な前縁と位相シフトされた後縁を含んでおり、前記前縁は前記ビデオ番組の基準となるタイミング信号を表わし、前記後縁はディジタル・データを符号化するために可変的に位相シフトされ、プレー符号とスキップ符号は前記制御トラック信号中の前記後縁に続くパルスにより表される、前記ビデオ記録・再生装置。
２．前記複数の動作モードとして、プレー・モードとスキップ・モードが含まれる、請求項１記載のビデオ記録・再生装置。
３．前記後縁に続くパルスは、複数のディジタル・ワードを表し、前記複数のディジタル・ワードの各ワードは、プレー・モード、スキップ・モード、および巻き戻しモードにそれぞれ対応する、請求項１記載のビデオ記録・再生装置。
４．前記ビデオ番組の再生時に、前記制御トラック信号に応答する前記制御プロセッサが、前記各ディジタル・ワードの関数として、順方向のプレー・モード、順方向のスキップ・モード、および巻戻しモードの相互間で前記ビデオ記録・再生装置を切換えるように動作する、請求項３記載のビデオ記録・再生装置。
５．前記プレー・モードを表す先行する前記ディジタル・ワードをデコードするまで所定の繰り返し回数の間、前記ビデオ記録・再生装置を前記巻戻しモードに切換えるように、前記巻戻しモードを表す前記ディジタル・ワードをデコードする際、少なくとも前記制御プロセッサは動作可能となる、請求項４記載のビデオ記録・再生装置。
６．前記ビデオ番組の再生時に、前記プレー・モード、前記スキップ・モード、および前記巻戻しモードを表す前記ディジタル・ワードを挿入する動作、削除する動作、および前記所定の繰り返し回数を変更する動作の少なくとも１つを行うためのユーザにより作動される手段を含み、前記制御トラック信号発生器は、前記プレー・モード、前記スキップ・モード、前記巻戻しモード、および前記所定の繰り返し回数を表す前記ディジタル・ワードの少なくとも１つを上書きするように動作する、請求項５記載のビデオ記録・再生装置。
７．前記プレー・モードと前記巻戻しモードを表わす前記ディジタル・ワードの少なくとも１つは、前記所定の繰り返し回数を表す符号化されたカウント値を含んでいる、請求項５記載のビデオ記録・再生装置。
８．前記ビデオ番組の再生時に、前記ディジタル・ワードの挿入動作と削除動作を行うためにユーザにより作動される手段を含む、請求項３記載のビデオ記録・再生装置。
９．前記制御トラック信号発生器は、前記ディジタル・ワードの挿入または削除を行うように、ユーザにより作動される手段に応答する請求項３記載のビデオ記録・再生装置。
１０．前記ユーザにより作動される手段が、前記ビデオ記録・再生装置により発生され、ユーザの選択により表示されるメニュー・スクリーンを含んでいる、請求項９記載のビデオ記録・再生装置。
【図面の簡単な説明】
第１Ａ図は、変調されていない制御トラックパルスを示すタイミング図である。
第１Ｂ図は、位相変調された後縁を有する制御トラック・パルスを示すタイミング図である。
第１Ｃ図は、第１Ｂ図の信号を発生するために、第１Ａ図の信号に加えることのできる信号を示すタイミング図である。
第２図は、第１Ｂ図の信号の位相変調された後縁の後に多ビットのディジタルのデータ語を加えることを示すタイミング図である。
第３図は、本発明の制御システムを使用する画像記録・再生装置のブロック図である。
第４図は、画像再生抑制のための、発明的な一連の制御手順を示す。
発明の詳細な説明
発明的な制御システムを使用する、例示的な記録・再生装置５００が第３図のブロック図に示されている。記録媒体（例えば、磁気テープ５０４）はカセット５０１内のリールで運ばれる。記録モードの間、画像信号は、記録増幅器５４５で処理するために装置５００に結合され、回転するヘッド５１０を介して、磁気的な変化（ｖａｒｉａｔｉｏｎ）の形でテープ５０４に記録される。リプレーまたはプレーバック（再生）モードの間、画像信号はテープ５０４から読み出され、再生増幅器５５０で処理され、増幅器５５０は画像信号を、表示およびその他の処理のために再生する。また、この画像信号は、オン・スクリーン表示（ＯＳＤ）付加装置５５５を介して結合され、ＯＳＤ付加装置５５５はステータス・制御情報を、表示装置７００に結合する前に画像信号の中に挿入することができる。
ここに図示し説明する発明は、例示的な記録形式に関し、制御データは制御トラックと共に記録される。ユーザから導入されるデータの蓄積および編集を容易にするために、他の記録形式も可能である。例えば、データは、独特の、特定の記録場所に挿入することができ、これにより、記録されたトラックの容量を、例えば、タイミング・データと共有する必要が無くなる。
第１図で、記録モードにおいて、制御トラックは、読取り／書込みヘッド５２５によりテープ５０４のエッジに沿って書き込まれる。制御トラックは制御トラック・パルス発生器５６０により発生される。発生器５６０は、記録される画像信号に固定され、画像フレーム周波数から得られる周波数を有する。第１Ａ図は、データを記録するために変調する前に発生器５６０により発生される例示的な制御トラック・パルス信号（ＣＴＲ）を示す。すでに述べたように、第１Ａ図に矢印で示す、急に立ち上がるパルスの縁部が検出され、再生サーボ・システムにより時間の基準として利用される。立下り縁部（後縁部）は、第１Ｂ図に示すように、データ・ビットＤに応答して、位相（ｐｈａｓｅ）変調すなわち位置（Ｐｏｓｉｔｉｏｎ）変調される。ここでは、データ値“１”に応答して、持続時間２７％のパルスが発生され、データ値“０”に応答して、持続時間６０％のパルスが発生される。これは立上り縁部の間隔に影響を与えないが、データ値を符号化し判別する手段すなわち方法を与える。
制御パルス発生器５７０は、制御トラック記録・再生ヘッド５２５に結合される。制御パルス発生器５７０は、第１Ｃ図に示すように、フレーム周波数（ｆｒａｍｅ  ｒａｔｅ）のランプ（傾斜）波形の制御パルス信号ＣＴＤを発生する。制御パルス信号ＣＴＤはランプ波の形をしており、急な立上り縁部を有することなく制御トラック上にオーバー・レコーディング（ｏｖｅｒ−ｒｅｃｏｒｄｉｎｇ）を可能にする。したがって、制御パルス信号ＣＴＤは、再生されるとき、タイミング基準縁部（タイミング・リファレンス・エッジ）を導入しない。制御パルス信号ＣＴＤの持続時間は、制御プロセッサ５８０からの制御データＤにより決定される。制御パルス信号ＣＴＤのタイミングはクロック・パルス発生器（図示せず）により正確に決定される。クロック・パルス発生器の信号は、再生の間にテープから読み出される再生された制御トラック・パルスＣＴＰを基準とする。
制御プロセッサ５８０は種々の機能（コマーシャル・ブレークの検出、制御パルスの符号化、リプレー制御パルスの処理、ＯＳＤの発生、プログラムの実行など）を与える。また、制御プロセッサ５８０は装置５００の制御スイッチ５８６から、またはリモコン６００からのリモコン信号により、ユーザによるコマンドを受け取る。制御プロセッサ５８０は、マイクロプロセッサ５８１とメモリ５８５を含み、制御プログラミング・計算・蓄積スペースを備えている。記録モードで、音声／ビデオ・プロセッサ５８２（プロセッサ５８０の一部を形成する）は、自動化信号分析のために入力画像および音声信号を受け取り、宣伝用のコマーシャル・ブレークの存在を検出する。その後、記録が自動的に見直され、マーカー符号を制御トラック信号に上書きすることにより、コマーシャル・ブレークの開始点および終了点が符号化される。制御データ信号Ｄは、上書きする制御パルス信号ＣＴＤを発生するためにパルス発生器５７０に結合される。
ユーザによるその後のコマンド・トラック符号化テープのリプレーの間、制御トラック・パルスＣＴＰは読取りヘッド５２５から抽出され、制御プロセッサ５８０内で処理され、復号化され、種々の制御コマンドに応答する。制御コマンドはパルス・プロセッサ５８４により制御トラック・パルス縁部から分離される。パルス・プロセッサ５８４は種々の手段を使用して、符号化された制御データを検出し再生する。例えば、プロセッサ５８４はコマンド・トラック信号の急な立上り縁部を利用して、タイマーまたはカウンターをインクリメントする（これは再生された制御データと比較される）と共に、プレーバックのタイミングを制御する。
ＣＴ（Ｃｏｎｔｒｏｌ  Ｔｒａｃｋ）周期の最初の２７％の間に生じる一致（ｃｏｉｎｃｉｄｅｎｃｅ）は論理“１”として復号化され、ＣＴ周期の約５０％を超えて生じる比較的長い一致は論理“０”として復号化される。制御トラック内で復号化される制御命令を使用する種々のシステムは、最初に、制御トラックから再生される論理記号の数により判別される。例えば、ＶＩＳＳ信号は６３ビットから成り、最初と最後のビットは論理“０”で、残りの６１ビットは論理“１”である。ＶＡＳＳシステムは２７ビットのアドレス・ワードを使用し、これには、最初と最後に論理“０”を含み中間に９ビットの論理“１”を有する１１ビットのヘッダが含まれる。この自動化されたコマーシャル飛ばしシステムは、制御ワードとして、８，１２，２９ビットの論理“１”を使用する。したがって、発明的な手動制御方法は同様な制御ワードを有効に使用して、制御プロセッサ５８０内に存在するパルス判別・制御回路を利用することができる。
例示的に第３図に示す、発明的なデータ符号化方法では、補足的データ・ビットが、制御トラック波形の周期の間に符号化される。第３図において、例示的な８ビットの補足的データ・ワードが、位相変調符号化制御トラック信号ＣＴＲの符号化された論理“１”値のあとに続いて書き込まれている。例示的な８ビット・ワードにおいて、論理“１”値は、制御トラック信号ＣＴＲの低セグメントに等間隔に置かれた８個の時間位置の１つで生じているランプ波信号で表され、論理“０”値は、それと対応する時間位置におけるランプ波パルス信号の欠如で表される。例示的ランプ波信号は、例えば、１ミリセカンドのクロック・パルスを発生する固定されたクロックから得られる。コマンド・トラック信号ＣＴＲの周波数に固定されたクロックの使用は、リプレーの間、復号化を簡略にするために好ましい。例えば、８ビットの補足的データ・ワードを回復するためには、信号ＣＴＲの位相変調された２７％の論理“１”値を検出する必要がある。このような検出により、ランプ波パルス変調された８ビットのデータが生じ得る、時間が調整された検出ウインドウが可能となる。マイクロプロセッサ５８１は、８ビットの制御ワードおよびその各ビットが存在するか存在しないかを判定し、種々の制御トラック符号化制御システムを判別する。
論理“１”を有する８ビットのワードは、複数の制御トラック周期について符号化され、１ミリセカンド・クロック発生器の同期を与える。クロックの同期に続いて、交互に起こる制御トラック周期で所定のデータ・パターンが符号化され、介在する周期でその補数が符号化される。リプレーされるとき、所定のデータ・パターンおよびその補数はマイクロプロセッサ５８１でテストされ、続いて起こる８ビットのワード内に含まれる制御命令を復号化するのに先立って、誤りチェック機能が得られる。補足データ・ビットは、１５の制御トラック・サイクルの期間にわたり符号化される；例えば、５バイトの論理“１”、４バイトの同期ワードと補数、６バイトの制御データ。
制御トラック信号ＣＴＲにおけるパルスの位相変調された短縮により、その周期の一部がデータの符号化に利用できる場合、補足的データ・ビットは、ＶＩＳＳ、ＶＡＳＳまたはコマーシャル飛ばし信号の論理“１”の期間中に符号化される。同様に、下行（ｌｏｗ  ｇｏｉｎｇ）パルスの立上り縁部が傾斜しており、急激に立ち上がる信号ＣＴＲのタイミング縁部と区別できる場合、下行パルスは制御トラック信号ＣＴＲの論理“０”パルスの間にデータを符号化することができる。傾斜した立上り縁部と急激な立上り縁部は、例えば、高域フィルタで判別することができる。手動でプログラムされるリプレー画像の自動化は、付加的な制御機能とコマンドを必要とする利点がある。これらの付加的な手動制御機能は、ユーザにプログラミング機能を与えるのみならず、前に述べた制御トラック符号化制御システム（例えば、コマーシャルの識別または分類、およびすべてのコマーシャルまたは特定の種類のコマーシャルについてのスキップ・コマンドの符号化）の動作と正確さを高める。
ユーザによりプログラムされる発明的なシーケンスは、教育、宣伝および販売を目的とする自動的な反復機能が得られる利点がある。したがって、飛ばすことのできる不要なセグメントが点在する信号符号をＶＣＲが受け取るまで、ユーザの選択したシーケンスを繰り返しリプレーするようにＶＣＲは手動でプログラムされる。
ユーザは、第３図に示すように、画面にあるメニューを選択することによりコマンドのシーケンスをプログラムすることができる。第３図で、制御入力５８６またはリモコン６００を使用して、ＥＤＩＴメニューを表示装置７００に表示するために選択することができる。ＥＤＩＴメニューは、選択できる種々のメニュー（例えば、時刻の設定、チャンネルのプログラミングなど）のうちの１例である。ＥＤＩＴメニューは、例えば、サブ・メニューにつながるＡＵＴＯ  ＲＥＰＥＡＴの選択を含んでいてもよいサブ・メニューのＡＵＴＯ  ＲＥＰＥＡＴは、ユーザにテープの移送すなわち再生／巻戻しを行うよう促し、再生時に、ユーザの選択どおりに処理されるセグメントの始めと終わりにテープが位置するようにする。
希望するセグメントを何回もプレーする再生処理の場合、ユーザは、選択した最初に希望する再生の始めまでテープを手動でキュー（ｃｕｅ）するよう促される。ユーザはメニューまたはサブ・メニューにあるＰＬＡＹ  ＭＡＲＫを選択し、再生の開始点を指定する。ユーザがメニューにあるＯＫを認識した後にＰＬＡＹマークの符号化が可能となり、適当な符号がテープ・コマンド・トラックに配置される。ＰＬＡＹマークまたは符号の実際の位置は、ユーザの反応時間を予測しテープのプレーキング（ｂｒａｋｉｎｇ）タイムを補償するために、希望する番組の開始の前に、所定の長さだけ書き込まれる。ＰＬＡＹマークと番組の再生が開始される箇所との間の距離も、ＰＬＡＹマークと関連してコマンド・トラックに符号で表示することができ、それによって、テープ移送のタイミングは、例えば、低速のブランク・プレーと異なる。高速順方向巻取りまたはスキャンの間にＰＬＡＹマークに出会うかどうかに依り、変えることができる。
ＰＬＡＹマーク符号を入れたあと、テープは順方向に再生される、すなわち順方向に走査することができることが望ましい。もし不要なセグメントに出会うと、ユーザはテープを位置させ、メニューからの適当な選択により、ＳＫＩＰ  ＦＯＲＷＡＲＤコマンドをコマンド・トラックに配置する。次に、ＶＣＲは順方向スキャン・モードに入り、ユーザが見るうちに、不要なセグメントの終わりに進み、前進し、プレーし、停止し、逆転し、次の希望するセグメントの始め（以前の不要なセグメントの終わり）に手動でテープを位置させる。上述のように、ＰＬＡＹ，ＳＫＩＰ  ＦＯＲＷＡＲＤおよび同様な符号は、それらが関連するテープの位置より前方のコマンド・トラックに書き込むことができる。ＳＫＩＰ  ＦＯＲＷＡＲＤモードでは、記録された画像は、次の希望するシーケンスに出会うまで、普通よりも早い速度で見ることができる。あるいは、ユーザは、普通の速度の順方向プレーを選択することができる。いずれにしても、リプレーの間にプレーを再開するためにテープが次の位置に在り、テープが停止しているか動いているとき、ユーザはメニューからＰＬＡＹを選択し、対応するコマンド符号を入力する。
前のＳＫＩＰ  ＦＯＲＷＡＲＤコマンドに続いてＰＬＡＹコマンドを入力すると、ＶＣＲは上述のように、ＳＫＩＰ  ＦＯＲＷＡＲＤが選択された所よりも前の位置まで自動的に巻き戻し動作を行い、再生が始まる所よりも前の位置にＰＬＡＹコマンドを入れて、ＶＣＲがテープのリプレーの間に停止して希望の所でプレーし始めるのに十分な時間を与える。
各々の場合、ＳＫＩＰ  ＦＯＲＷＡＲＤコマンドとＰＬＡＹコマンドは、コマンド・トラック上の位相変調されたパルス・データの上に書かれる。ＳＫＩＰとＰＬＡＹは通常、ペアで起こり、その順序は特定のセグメントが再生されるかスキップされるかを決定する。ＶＣＲの再生動作のための通常の開始モードがプレー・モードなので、テープ上で出会う最初の制御モードは、通常、ＳＫＩＰ  ＦＯＲＷＡＲＤである。しかしながら、ペアを成すＳＫＩＰ  ＦＯＲＷＡＲＤ符号をＰＬＡＹ符号のどちらかを他方よりも先にコマンド・トラックに据えることができる。例えば、プログラミングの順序では、スキップされるセグメントの終わりにＰＬＡＹ符号を据え、それから、スキップされるセグメントの始めにＳＫＩＰ  ＦＯＲＷＡＲＤコマンドを据える。あるいは、ＳＫＩＰ  ＦＯＲＷＡＲＤコマンドを書き入れてから、その点よりも前方の位置へテープを自動的に往復させることができ、それから、ユーザはＰＬＡＹモード・コマンドを入れて、そのコマンド・トラックに上書きする。
同様にして、コマンド・トラック符号はＳＫＩＰ  ＲＥＡＲＷＡＲＤ（巻戻し）コマンドを形成することができ、テープはＰＬＡＹコマンドが現われるまで巻き戻される。これによって、ユーザは、コマンド・トラックにあるプログラム可能な且つ変更可能なコマンド符号により、テープの定められたセグメントをループ（ｌｏｏｐ）（リプレー：ｒｅｐｌａｙ）し、或るセグメントを選択的に再生し、他のセグメントをスキップすることができる。
上述のように、ＳＫＩＰおよびＰＬＡＹコマンドを挿入して、コマーシャル・メッセージの再生を省くことができる。ユーザは、テープの内容を見ながら、特定のセグメントを見たあとで、それをスキップすべきであると決めることもできる。一般には、ユーザは、符号を前方へ挿入することを選ぶが、一部分（例えば、未検出のコマーシャル）を見たあとで、終わりにＰＬＡＹ符号を据えることに決めることがよくあり、それから始めまで巻き戻す。ＳＫＩＰおよびＰＬＡＹ符号をプログラムする間にＰＬＡＹコマンドをＶＣＲのコマンド・トラックに書き込むと、ＶＣＲは、例えば、ユーザの入力信号から、希望する番組の終わりを判定し、そして再びメニューからＳＫＩＰ  ＦＯＲＷＡＲＤを選択する。メニューからプログラムするときに記録された画像は、コマンド・トラック符号を必要とする次の箇所に出会うまで、通常よりも早い速度で見ることができる。
ユーザは、必要な番組と必要でない番組の両方を含んでいる記録から一連の画像（シーケンス）を選択し且つ組み立てることもできる。また、先に簡単に述べた方法は、ＳＫＩＰ  ＲＥＡＲＷＡＲＤ（巻戻し）する制御コマンドを含み、非連続的な記録からシーケンスを組み立てることができる。しかしながら、非連続的な記録から組み立てられたシーケンスは、再生されるセグメントの不必要な繰返しを避けるために特殊なＧＯ  ＴＯコマンドおよびセグメント・アドレシング（ｓｅｇｍｅｎｔ  ａｄｄｒｅｓｓｉｎｇ）を必要とする。
コマンド・トラックに上書きして符号化されるデータ内にあるビットのいくつかは、多数の繰り返しサイクルを符号化するのに使用することができる。必要とされる記録の選択が完了すると、ユーザはメニューからＲＥＰＥＡＴを選択し、これは、ＳＴＯＰモードが選択されるまで、連続的なループ（繰り返し）の選択、あるいは、再生を自動的に停止するかまたは継続する前に行われる多数の繰り返しループの選択、を促す。行われる繰返しループの数はＰＬＡＹ  ＭＡＲＫとして符号化される。例えば、ＰＬＡＹ  ＭＡＲＫは１１１１１１１００００〜１１１１１１１１１１１の範囲を有する。ＰＬＡＹ  ＭＡＲＫは７ビットの第１グループ（すべて真に設定されている）で表され、残りの４ビットは、それぞれのセグメントについて繰り返しループが通過する（ｔｒａｖｅｒｓｅ）回数を表す。ＰＬＡＹ  ＭＡＲＫは以下の表に示すように定義される：
0003867929.tif 000002
第４図には、前述した符号に基づく例示的な自動的表示（ｐｒｅｓｅｎｔａｔｉｏｎ）シーケンスが示されている。自動化された表示シーケンスはステップ１００で始まり、ステップ１１０で、プレーヤのレコーダはＦＯＲＷＡＲＤ  ＷＩＮＤまたはＳＫＩＰ  ＦＯＲＷＡＲＤ命令を開始する。ステップ１２０で、ＳＴＯＰモードがリクエスト（ｒｅｑｕｅｓｔ）されているかどうかを決めるためにテストが行われ、ＹＥＳであれば、ステップ１３０で、レコーダ／プレーヤは停止状態をとり、メニューの選択を経て、ステップ１００で再スタートを待つ。ステップ１２０でＮＯであれば、ステップ１４０で更にテストが行われ、符号化された制御トラックからＰＬＡＹ  ＭＡＲＫが検出されたかどうか判定される。ステップ１４０でＮＯであればループを形成し、ＰＬＡＹ  ＭＡＲＫの発生を待ち、レコーダ／プレーヤは引き続き順方向にスキップする。ステップ１４０のＰＬＡＹ  ＭＡＲＫのテストでＹＥＳになれば、ステップ１５０で、この制御シーケンスはカウンターをデクリメントする。ステップ１５５でカウント値は、ＰＬＡＹ  ＭＡＲＫ内で符号化された繰返しループの数を、記録されたＰＬＡＹ  ＭＡＲＫの数に掛けて計算される。もし例えば、連続的に繰り返し表示されるお知らせや広告が必要とされる場合、ＰＬＡＹ  ＭＡＲＫ“００００”では、ステップ１５０が無視され、あるいは、カウント値は高い値に設定される。第４図のフローチャートの主のブランチに戻り、ステップ１６０でカウントがゼロ値でないかテストされる。ＹＥＳであれば、プログラムされたリプレー・シーケンスの所定数のループの完了を意味し、ステップ１３０でＳＴＯＰモードを開始する。ステップ１６０でＮＯであれば、ステップ１６５でＰＬＡＹモードを選択する。
ＰＬＡＹモードを開始したあと、この制御シーケンスはステップ１８０に分岐して、ステータス検査状態に入り、順方向ＦＡＳＴ  ＦＯＲＷＡＲＤまたは後進ＲＥＶＥＲＳＥまたはＳＫＩＰコマンドのいずれかを検出するためのテストをする。ステップ１８０でＮＯであれば、待ちループを形成し、ＹＥＳであればステップ１１０に戻り、ＦＯＲＷＡＲＤ  ＷＩＮＤモードをとり、ステップ１２０で、制御シーケンスを再開する。ステップ１６５から第２の分岐が出て、ステップ１９０でＲＥＶＥＲＳＥ  ＷＩＮＤまたはＳＫＩＰ  ＢＡＣＫコマンド検出のテストが行われ、ＮＯであれば待ちループを形成し、ＹＥＳであればステップ１１５に戻り、ＲＥＶＥＲＳＥ  ＷＩＮＤモードをとり、制御シーケンスを再開する。このようにして、コマンド・トラック内にプログラムされる符号により、レコーダ／プレーヤは、一連の再生されるまたはスキップされるセグメントを通って両方向に進む。
以下の例において、ユーザは、あとで見るために、記録された番組を手動で選択し、選択した番組を制御マークで識別する。したがって、あとでテープを見るときに、選択された必要な番組は再生され、不要なセグメントは通り過ぎる。この再生制御機能は教育的な利用を容易にする。例えば、交通の流れのパターンの長時間の記録、行動研究、科学的実験、精神科の診療あるいは外科的手順は、訓練や教育上の目的あるいは分析のために特に興味あるセグメントを詳しく見直すためにマークされ、介在する不要なものはスキップされる。あとで見るために、記録された番組を手動で選択しマークできることも、製造工程の見直しやそれから得られる訓練材料の導出のために有利となろう。
ユーザにより再生される番組およびスキップされる番組の選択およびプログラミングを容易にするために以下の方法が使用される。ユーザは、主メニューでＥＤＩＴと呼ばれるメニューを画面上で選択し、ＰＬＡＹとＳＫＩＰのサブ・メニューを選択することにより、再生シーケンスをプログラムする。ＰＬＡＹとＳＫＩＰメニューにはＳＴＡＲＴ  ＭＡＲＫＩＮＧ？エントリイが含まれ、これを選択すると、希望の番組の入っている予め記録されたテープが始点へ巻き戻される。ＶＣＲは自動的にＰＬＡＹモードを開始して、ＦＯＲＷＡＲＤ  ＷＩＮＤまたはＳＫＩＰ  ＦＯＲＷＡＲＤコマンドを制御トラックに上書きすなわち重ね書きする。ＳＫＩＰ  ＦＯＲＷＡＲＤのマーキングが完了すると、ＶＣＲは順方向スキャン・モードをとり、希望の番組が見えてくるまで、高速で番組を見直すことができ、ユーザはメニューからＰＬＡＹを選択する。ＰＬＡＹを選択するとテープは所定の距離だけ後退し、リプレー・セグメントのスタート位置を正確に捜し出す。スタート位置を捜し出すと、メニューに入っているＰＬＡＹ  ＭＡＲＫ？がユーザに選択され、その結果、制御トラックはＰＬＡＹ  ＭＡＲＫで上書きされる。次に、テープは順方向に再生される。ユーザは、希望の番組が終了すると、ＳＫＩＰ  ＦＯＲＷＡＲＤ？メニューを選択し、ＹＥＳを認め、制御トラックはＳＫＩＰ  ＦＯＲＷＡＲＤ  ＭＡＲＫで上書きされる。ＰＬＡＹおよびＳＫＩＰ  ＦＯＲＷＡＲＤのマーキングは、前述したように、希望の番組の終了まで継続する。希望の最後のセグメントが終わると、ユーザはメニューから“ＥＮＤ  ＭＡＲＫＩＮＧ？”を選択し、その結果、制御トラックにＳＴＯＰコマンドが上書きされる。このようにマークされたテープが始めから再生されると、ＶＣＲは、符号化されたＳＫＩＰ  ＦＯＲＷＡＲＤコマンドに応答して、ワインド・モードをとる。符号化されたＰＬＡＹ  ＭＡＲＫが検出されると、ＶＣＲはプレー・モードをとり、ＳＫＩＰ  ＦＯＲＷＡＲＤコマンドが復号化されるまで再生し続ける。したがって、ユーザがプログラムしたプレー／スキップ・シーケンスはＥＮＤマークが検出されるまで継続する。
ユーザがプログラムする付加的な制御コマンドにより、ＦＯＲＷＡＲＤ  ＷＩＮＤ  ＭＡＲＫＳを編集する機能が有利に与えられ、例えば、コマーシャル・メッセージの不正確な自動的な識別により損なわれる番組内容を除去する。また、ユーザは、ＰＬＡＹ  ＭＡＲＫＳを消去して、例えば、不正確なまたは不要なコマーシャル終了の識別を除去し、あるいはテープの往復動作の間、不要なＰＬＡＹモードの選択を防ぐと共に、符号化を変更し、例えば、繰返しサイクルの数を変えることもできる。適正に符号化されたコマーシャル・スキッピング・テープには、必要なコマーシャルも含まれている。したがって、ユーザは必要なコマーシャルを見ることを容易にするために、ＦＯＲＷＡＲＤ  ＷＩＮＤ  ＭＡＲＫＳを消去することを選択することもできる。これとは反対に、不適正に符号化されたコマーシャル・スキップテープは、識別されない不要なコマーシャルを含んでいることもあり、したがって、ユーザは、不要なコマーシャルをスキップするためには、ＦＯＲＷＡＲＤ  ＷＩＮＤ  ＭＡＲＫＳおよびＲＥＳＵＭＥ  ＰＬＡＹ  ＭＡＲＫＳを記録することもできる。
以下に示す例は、ユーザが制御マークを消去することにより、テープの特定の位置でスキップするのを永久に防ぐことのできる方法である。コマーシャルをスキップする制御信号で符号化されたテープを再生する場合、ユーザは番組あるいは１グループのスキップされたコマーシャル広告をテープの特定の位置で観察する。以下の方法は、制御マークの消去により、スキップすることを永久に防ぐために使用される。
Ａ）コマーシャル飛ばしの間にあるいはコマーシャル飛ばしの直後に、ユーザは、リモコンまたはレコーダのプレーヤに在るＤＩＳＰＬＡＹキー（または特別に割り当てられたキー）を選択する。ＤＩＳＰＬＡＹキーを操作すると、レコーダのプレーヤは、最後のＦＯＲＷＡＲＤ  ＷＩＮＤ  ＭＡＲＫＳの直前に巻き戻す。次にレコーダのプレーヤはＰＬＡＹモードに入り、ＦＯＲＷＡＲＤ  ＷＩＮＤコマンドを表示する制御トラック・パルス（２７．５％）のグループに、標準持続時間を有する制御トラック・パルスを上書きすなわち重ね書きする。
Ｂ）あるいは、ユーザはテープを、スキップされたセグメントの前または後にくるように配置する。マイクロプロセッサの制御システムはスキップされた最後のセグメントのアドレスを貯える。ユーザはＯＳＤ（ｏｎ  ｓｃｒｅｅｎ  ｄｉｓｐｌａｙ）により供給されるＥＤＩＴメニューを選択し、これにより、以下の例示的選択が与えられる：
１）最後の／次のスキップされるセグメントをプレーする？
２）最後のＷＩＮＤ／ＰＬＡＹマークを削除する？
３）次のＷＩＮＤ／ＰＬＡＹマークを削除する？
４）すべてのＷＩＮＤ／ＰＬＡＹマークを削除する？
最初の選択は、制御マークを編集する前に、最後のまたは次のスキップされるセグメントの見直しを容易にする。
以下の例で、ユーザは、コマーシャル飛ばし制御信号で符号化されたテープを見て、コマーシャル飛ばしの間、興味ある画像を観察する。ユーザは、スキップされる番組を、一度飛ばさずに再生して見たいと思う。幸いこれは、最少の制御操作で、すなわち、コマーシャル飛ばしを不能にする多数のキー・ストロークを必要とせずに行うことができる。例えば、再びプログラムできないようにコマンド符号を挿入するコマーシャル・マーキング・システムのユーザは、メニューに入り、コマーシャル飛ばしをＯＦＦにし、メニューから出て、テープをコマーシャル・グループの始めまで巻き戻す必要があり、そして最後にＰＬＡＹモードを選択し、興味あるコマーシャルを見る。見たあとで、ユーザはそのメニュー・システムに再び入り、コマーシャル飛ばしをＯＮにし、そのメニューから出る必要がある。説明を簡単にするために、上記のシナリオ（ｓｃｅｎａｒｉｏ）で、ユーザは行き過ぎずにまたＦａｓｔ−Ｆｏｒｗａｒｄモードの選択（これは付加的なキー・ストロークと遅延を付加する）を必要とせずに、テープをコマーシャル・グループの始めまで正確に巻き戻したものと仮定する。
以下の方法は、スキップ符号化されたコマーシャル・ブロックを飛ばさずに、自動化された再生を容易にするために使用される。ユーザは、リモコンにあるＤＩＳＰＬＡＹキー（または特別に割り当てられたキー）を選択する。ＤＩＳＰＬＡＹキーにより、テープは自動的に巻き戻され、コマーシャル・スキップ（飛ばし）ＦＯＲＷＡＲＤ  ＷＩＮＤ  ＭＡＲＫを探す。ＦＯＲＷＡＲＤ  ＷＩＮＤ  ＭＡＲＫを見つけると、コマーシャル飛ばしは、例えば、ソフトウェア制御により、一時的に不能にされる。ＶＣＲは自動的にＰＬＡＹモードに入り、そのコマーシャル・グループを再生する。ＲＥＳＵＭＥ  ＰＬＡＹ  ＭＡＲＫを検出すると、ＶＣＲはコマーシャル・スキップ・モードを自動的に再び可能にする。
【図１】
0003867929.tif 000003
【図２】
0003867929.tif 000004
【図３】
0003867929.tif 000005
【図４】
0003867929.tif 000006